(57)【特許請求の範囲】
【請求項１】
上板、側板、下面蓋板よりなるハウジング内に筒状仕切体を設けて、この仕切体とハウジング内面との間にエアチャンバを形成し、前記下面蓋板には前記エアチャンバに通じ、しかも開閉ベーンを有する空気吹出口と、仕切体内に通ずる空気吸込口をあけ、仕切体内にフィルタ、送風機を設けるとともに仕切体内の空気を冷却または加熱して前記エアチャンバに送る熱交換器を設け、かつハウジングの適所に通常は閉塞されている空気吹出口を設けるとともに、ハウジングと仕切体を貫通する筒体よりなり、しかも通常は閉塞されている空気吸込口を設けてなる天井取付型空気調和機。
【発明の詳細な説明】
【０００１】
【発明の属する技術分野】
本発明は部屋の天井に取り付けて使用する空気調和機に関する。
【０００２】
【従来の技術】
空気調和機には部屋の天井に取り付ける型のものがある。
この天井取付型の空気調和機は、部屋の間仕切変更等があると、その都度その部屋の箇所へ空気調和機を移動して取り付けるか、あるいは別途空気調和機を取り付ける必要がある。
【０００３】
前者のばあいは移動、設置工事に多大の費用が掛かり、後者のばあいは別途空気調和機を要し、これまた費用が掛かる。
【０００４】
【目的】
本発明は空気調和機それ自体を単独で使用できるほかに、部屋の間仕切変更等があったばあいはその部屋にサブの空気吹出口体や空気吸込口体を設けて、これらを既設空気調和機へダクトで接続することにより既設空気調和機を移動させる必要もなければ別途空気調和機を設ける必要もなく、被空調部の変更に対して容易に対応できる空気調和機を提供できるようにした。
【０００５】
【手段】
本発明に係る天井取付型空気調和機は上板、側板、下面蓋板よりなるハウジング内に筒状仕切体を設けて、この仕切体とハウジング内面との間にエアチャンバを形成し、前記下面蓋板には前記エアチャンバに通じ、しかも開閉ベーンを有する空気吹出口と、仕切体内に通ずる空気吸込口をあけ、仕切体内にフィルタ、送風機を設けるとともに仕切体内の空気を冷却または加熱して前記エアチャンバに送る熱交換器を設け、かつハウジングの適所に通常は閉塞されている空気吹出口を設けるとともに、ハウジングと仕切体を貫通する筒体よりなり、しかも通常は閉塞されている空気吸込口を設けた構造のものとしてある。
【０００６】
上述した手段の本発明は次ぎのような実施態様がある。
【０００７】
＜実施態様１＞
上板、側板、下面蓋板よりなるハウジング内に筒状仕切体を設けて、この仕切体とハウジング内面との間にエアチャンバを形成し、前記下面蓋板には前記エアチャンバに通じ、しかも開閉ベーンを有する空気吹出口と、仕切体内に通ずる空気吸込口をあけ、仕切体内にフィルタ、送風機を設けるとともに仕切体内の空気を冷却または加熱して前記エアチャンバに送る熱交換器を設け、かつハウジングの適所に空気吹出口を設けるとともに、ハウジングと仕切体を貫通する筒体よりなる空気吸込口を設けてなる天井取付型の空気調和機の前記ハウジングの空気吹出口を別途設けたサブの吹出口体へダクトにて接続し、空気調和機における前記開閉ベーンを適度に開成してなる空調システム。
【０００８】
＜実施態様２＞
上板、側板、下面蓋板よりなるハウジング内に筒状仕切体を設けて、この仕切体とハウジング内面との間にエアチャンバを形成し、前記下面蓋板には前記エアチャンバに通じ、しかも開閉ベーンを有する空気吹出口と、仕切体内に通ずる空気吸込口をあけ、仕切体内にフィルタ、送風機を設けるとともに仕切体内の空気を冷却または加熱して前記エアチャンバに送る熱交換器を設け、かつハウジングの適所に通常は閉塞されている空気吹出口を設けるとともに、ハウジングと仕切体を貫通する筒体よりなる空気吸込口を設けてなる天井取付型の空気調和機のハウジング側部の空気吸込口へ、別途設けた空気吸込口体をダクトにて接続してなる空調システム。
【０００９】
＜実施態様３＞
上板、側板、下面蓋板よりなるハウジング内に筒状仕切体を設けて、この仕切体とハウジング内面との間にエアチャンバを形成し、仕切体内にフィルタ、送風機を設けるとともに仕切体内の空気を冷却または加熱して前記エアチャンバに送る熱交換器を設け、かつハウジングの適所に空気吹出口を設けるとともに、ハウジングと仕切体を貫通する筒体よりなる空気吸込口を設けてなる天井取付型の空気調和機の前記ハウジングの空気吹出口と空気吸込口に、別途設けたサブの空気吹出口体と吸込口体にそれぞれダクトにて接続し、空気調和機における前記下面蓋板を盲蓋板で構成してなる空調システム。
【００１０】
＜実施態様４＞
上板、側板、下面蓋板よりなるハウジング内に筒状仕切体を設けて、この仕切体とハウジング内面との間にエアチャンバを形成し、前記下面蓋板には前記エアチャンバに通じ、しかも開閉ベーンを有する空気吹出口と、仕切体内に通ずる空気吸込口をあけ、仕切体内にフィルタ、送風機を設けるとともに仕切体内の空気を冷却または加熱して前記エアチャンバに送る熱交換器を設け、かつハウジングの適所に空気吹出口を設けるとともに、ハウジングと仕切体を貫通する筒体よりなる空気吸込口を設けてなる天井取付型の空気調和機の前記ハウジングの空気吹出口と空気吸込口に、別途設けたサブの空気吹出口体と吸込口体にそれぞれダクトにて接続し、空気調和機における前記開閉ベーンを適度に開成してなる空調システム。
【００１１】
【実施例】
図１において符号１は本発明に係る空気調和機のハウジングを示す。
ハウジング１は上板１ａ、４面の側板１ｂ、下面蓋板１ｃよりなる箱体で構成してあり、下面蓋板１ｃは適宜着脱自在となっている。
【００１２】
ハウジング１内には筒状仕切体２が設けられて、この仕切体とハウジング１の内面との間にエアチャンバ３を形成してある。
また、前記下面蓋板１ｃには、ハウジングのエアチャンバ３の下部と連通する空気吹出口４を形成してあるとともに、前記仕切体２内と連通する空気吸込口５を形成してある。
【００１３】
さらに、仕切体２内には、その下部にフィルタ６を設けてあってこのフィルタの上方に送風機７を設けてあり、かつ上部に冷却及び加熱用の熱交換器８を設けてあり、送風機７からの空気は熱交換器８によって冷却または加熱されてエアチャンバ３に送り込まれるようになっている。
したがって、仕切体における熱交換器取付部は開口している。
【００１４】
さらに本発明においては、ハウジング側板の適所、例えば左右前後の各側板１ｂに空気吹出口９を設けてあるとともに、ハウジング及び仕切体を貫通する筒体１１よりなる空気吸込口１０をも設けてあり、これらの吹出口９、吸込口１０は通常は盲板１２、１３や開閉ベーン等により塞いであるが、後述するバリエーション使用の際には盲板を外し、あるいは開閉ベーンを開くことにより開口するようにしてある。
【００１５】
また、前記エアチャンバにはバリエーション使用の際に下面蓋板の吹出口への送風を遮断する開閉ベーン１４を設けてある。
なお、図中の符号１５は熱交換器のドレンパン、１６は仕切体内を上下２室Ａ、Ｂに画し、かつ送風機を取り付ける上下室用の区画板を示し、１７は送風機からの空気を熱交換器へ送るダクト、Ｍは送風機のモータを示す。
【００１６】
上述した本発明の空気調和機は、単体としては次ぎのように使用される。
このばあいは、ハウジングの吹出口９、吸込口１０を塞いでおき、チャンバ３内の開閉ベーン１４は開いておく。
【００１７】
かくすることにより、室内からのリターン空気は下面蓋板の吸込口５からハウジング内に吸い込まれ、フィルタで浄化されて送風機７により熱交換器８へ送られ、ここで冷却または加熱されて調温されてエアチャンバ３へ送り出され、エアチャンバ内の空気は下面蓋板の吹出口４からサプライ空気として室内へ吹き出される。
【００１８】
したがって、この使用例では本発明の空気調和機それ自体単独で室内リターン空気の吸入、熱交換、室内へのサプライ空気吹出の機能をする。
【００１９】
上述した使用例のほかに、本発明の空気調和機は次ぎのバリエーション実施態様がある。
【００２０】
＜バリエーション１＞
図４に示すように別途サブの吹出口体１８を組み合わせて使用する実施態様。このばあいはハウジング側部の吹出口９を開き、エアチャンバ３内の開閉ベーン１４を閉じ、ハウジング側部の吸込口１０は塞いだままにしておく。
部屋の天井板２２の適所には別途サブ空気吹出口体１８を取り付けて、この吹出口体をダクト１９にてハウジング側部の吹出口９へ接続する。
【００２１】
かくすることによりリターン用の室内空気は下面蓋板１ｃの吸込口５からハウジング内に吸い込まれ、空気フィルタ、送風機、熱交換器を経てエアチャンバに送り込まれるが、エアチャンバの調温空気はハウジング側部の吹出口９からダクト１９によりサブ吹出口体１８へ送られ、この吹出口体１８からサプライ空気として室内へ送り出される。
【００２２】
このばあい、エアチャンバの開閉ベーン１４を全閉とせずに適宜開けておくことにより、エアチャンバの調温空気を同図仮想線で示すように下面蓋板の吹出口４からも吹き出させることができる。
【００２３】
＜バリエーション２＞
図５のようにサブ吸込口体２０と組み合わせて使用する実施態様。
このばあいはハウジングの吹出口９を閉じ、下面蓋板の吹出口４は開いておき、ハウジングの吸込口１０に、天井板の所要の箇所に取り付けたサブ空気吸込口体２０をダクト２１で接続する。
【００２４】
かくすることによりハウジング内には下面蓋板１ｃの吸込口５から室内の空気が吸い込まれるほかに、サブ吸込口体２０からも空気が吸い込まれ、この吸い込まれた空気は送風機７によりフィルタ６、熱交換器８を経てエアチャンバ３内に送り込まれ、エアチャンバ内の調温された空気は下面蓋板の吹出口４からサプライ空気として室内に吹き出される。
【００２５】
この使用態様では、室内の周辺部に滞留している空気もリターン空気としてサブ吸込口体２０に吸い込まれ、下面蓋板の吹出口から吹き出されるので、室内全体の空気の対流が促進され、室内全体を温度むらの少ない状態に空調できる。
【００２６】
＜バリエーション３＞
図６のようにサブ吸込口体２０と吹出口体１８とへ接続して使用する実施態様。
このばあいは部屋の天井板の適所にサブの空気吸込口体２０と空気吹出口体１８を設け、吸込口体２０はハウジングの吸込口１０へダクト２１で、吹出口体１８はダクト１９でハウジングの吹出口９へ接続し、下面蓋板は空気吹出口、空気吸込口のない盲蓋板２４と交換する。
【００２７】
かくすることにより、サブ吸込口体２０から吸入された室内からのリターン空気はハウジング内に送風機によりフィルタ６、熱交換器８を経てエアチャンバ３へ送り込まれ、エアチャンバの調温された空気はサプライ空気としてサブ吹出口体１８から室内へ吹き出される。
【００２８】
この実施例では、例えば間仕切２３で画される他の部屋２５の空調をすることもでき、その部屋用の空気調和機を別途設ける必要はない。
【００２９】
＜バリエーション４＞
図７のようにサブ吸込口体２０と吹出口体１８とへ接続して使用する実施態様。
このばあいは部屋の天井板の適所にサブの空気吸込口体２０と空気吹出口体１８を設け、吸込口体２０はハウジングの吸込口１０へダクト２１で、吹出口体１８はダクト１９でハウジングの吹出口９へ接続し、開閉ベーン１４を閉じておく。
【００３０】
かくすることにより、サブ吸込口体２０から吸入された室内からのリターン空気はハウジング内に送風機によりフィルタ６、熱交換器８を経てエアチャンバ３へ送り込まれ、エアチャンバの調温された空気はサプライ空気としてサブ吹出口体１８から室内へ吹き出される。
【００３１】
この実施例においても、例えば間仕切２３で画される他の部屋２５の空調をすることもでき、その部屋用の空気調和機を別途設ける必要はない。
【００３２】
【発明の効果】
上述した本発明の空気調和機によれば、それ自体単独で使用できるほかに、被空調箇所が変更になった場合は、サブの吹出口体と接続することにより、既設の空気調和機を移動させる必要もなければ、別途空気調和機を設ける必要もなく、被空調部の変更に対して容易に対処できる。
【図面の簡単な説明】
【図１】本発明に係る空気調和機の内部機構を示す平面図。
【図２】同空気調和機の底面図。
【図３】同空気調和機の内部機構を示す正面図。
【図４】バリエーション１の実施態様を示す図。
【図５】バリエーション２の実施態様を示す図。
【図６】バリエーション３の実施態様を示す図。
【図７】バリエーション４の実施態様を示す図。
【符号の説明】
１・・・ハウジング
１ａ・・・上面板
１ｂ・・・側面板
１ｃ・・・下面蓋板
２・・・仕切体
３・・・エアチャンバ
４・・・空気吹出口
５・・・空気吸込口
６・・・フィルタ
７・・・送風機
８・・・熱交換器
９・・・空気吹出口
１０・・・空気吸込口
１１・・・筒体
１２、１３・・・盲板
１４・・・開閉ベーン
１５・・・ドレンパン
１６・・・区画板
１７・・・ダクト
１８・・・サブ空気吹出口体
１９・・・ダクト
２０・・・サブ空気吸込口体
２１・・・ダクト
２２・・・天井板
２３・・・間仕切
２４・・・盲蓋板
２５・・・間仕切で画された他の部屋
Ｍ・・・送風機のモータ
【図１】
0003590703.tif 000002
【図２】
0003590703.tif 000003
【図３】
0003590703.tif 000004
【図４】
0003590703.tif 000005
【図５】
0003590703.tif 000006
【図６】
0003590703.tif 000007
【図７】
0003590703.tif 000008